(57)【特許請求の範囲】
【請求項１】
プラグ脱着可能なモジュール（１２）の回路基板（２６）に縁実装するためのストラドルマウントコネクタ（３２，２３２，４３２）であって、基部（８２，２８２，４８２）及び該基部から延びるプラグ（５２，２５２，４５２）を有する誘電性コネクタ本体（８０，２８０，４８０）と、該コネクタ本体により保持される電気コンタクト（５８，６２，２５８，２６２，４６２）とを具備し、
前記基部は、前記回路基板の一縁（２８）に結合されるよう構成され、
前記プラグは、リセプタクルコネクタ（３４）のリセプタクル（５０）内に受容されるよう構成され、
前記電気コンタクトは嵌合部（９８，１０６，２９８，３０６，５０６）を有し、
第１組の前記電気コンタクト（５８，６２，２５８，２６２，４６２）の前記嵌合部は、前記プラグの第１面に沿って所定長さで延びる第１列（１０２，１１０，３０２，３１０，５１０）に配列され、
第２組の前記電気コンタクトの前記嵌合部は、前記プラグの第２面に沿って所定長さで延びる第２列に配列されるストラドルマウントコネクタにおいて、
前記第１面及び前記第２面間の前記プラグ内には、プレートキャビティ（９４）が延び、
前記プレートキャビティ内には、接地プレート（９６，２９６）が保持され、
前記接地プレートは、前記第１列及び前記第２列の前記電気コンタクトの長さに沿って前記第１列及び前記第２列間を前記第１面及び前記第２面と平行に延び、
前記第１組の電気コンタクトは、信号コンタクト（５８ａ，６２ａ，２５８ａ，２６２ａ，４６２ａ）及び接地コンタクト（６２ｂ，２５８ｂ，２６２ｂ，４６２ｂ）からなり、
前記接地コンタクトは、前記接地プレート及び前記接地コンタクトが電気的に共通になるように、前記接地プレートと係合する保持タブ（１２６）を有して前記接地プレートに電気接続されていることを特徴とするストラドルマウントコネクタ。
【請求項２】
前記接地プレートは、前記第１列及び前記第２列の電気コンタクトの全長に沿って前記第１列及び前記第２列間を延びることを特徴とする請求項１記載のストラドルマウントコネクタ。
【請求項３】
前記電気コンタクトは、前記コネクタ本体の前記基部に結合されたコンタクト基部（１１４ａ，１１６ａ）を具備し、
前記嵌合部は、前記コンタクト基部から外方へ所定長さだけ延びており、
前記接地プレートは、前記嵌合部の全長に沿って前記第１列及び前記第２列の電気コンタクト間を延びることを特徴とする請求項１記載のストラドルマウントコネクタ。
【請求項４】
記第１組の電気コンタクトは、信号コンタクト及び接地コンタクトからなり、
前記第２組の電気コンタクトは、信号コンタクト及び接地コンタクトからなり、
前記第１組内の少なくとも１個の前記接地コンタクトは、前記プラグの前記第２面に沿って延びると共に前記第２組の電気コンタクトの前記接地コンタクトと係合して該接地コンタクトと電気接続状態となる共通部（３５０）を具備することを特徴とする請求項１記載のストラドルマウントコネクタ。
【請求項５】
前記共通部は、前記プラグの前記第１面から前記第２面まで貫通していることを特徴とする請求項４記載のストラドルマウントコネクタ。
【請求項６】
前記接地プレートは、前記プラグの前記第１面及び前記第２面と対面する、対向した第１面（３５４）及び第２面（３５６）を具備し、
前記接地プレートは、該接地プレートの前記第１面から前記第２面まで延びる縁（３５８）を具備し、
前記第１組及び前記第２組の電気コンタクトはそれぞれ、信号コンタクト及び接地コンタクトからなり、
前記第１組内の少なくとも１個の前記接地コンタクトは、前記プラグの前記第２面に沿って延びると共に前記第２組の電気コンタクトの前記接地コンタクトと係合して該接地コンタクトと電気接続状態となる共通部（３５０）を具備し、
前記共通部は、前記接地プレートの前記第１面から前記接地プレートの前記縁を越えて前記接地プレートの前記第２面まで延びることを特徴とする請求項１記載のストラドルマウントコネクタ。
【請求項７】
前記プラグは、該プラグの前記第２面を有する誘電性材料製の下層（１０１）、前記接地プレートにより区画される中間層（１０５）、及び前記プラグの前記第１面を有する誘電性材料製の上層（１０３）からなる層構造を具備することを特徴とする請求項１記載のストラドルマウントコネクタ。
【請求項８】
前記第１組の電気コンタクトは、信号コンタクト及び接地コンタクトからなり、
前記第２組の電気コンタクトは、信号コンタクト及び接地コンタクトからなることを特徴とする請求項１記載のストラドルマウントコネクタ。
【発明の詳細な説明】
【技術分野】
【０００１】
本発明は、プラグ脱着可能なモジュールの回路基板に縁実装するためのストラドルマウントコネクタに関する。
【背景技術】
【０００２】
ホスト機器及び外部デバイス間の通信を可能にする様々なタイプの光ファイバ及び銅線ベースのトランシーバ組立体が公知である。これらのトランシーバ組立体は、ホスト機器内のリセプタクルコネクタにプラグ脱着可能に接続できるモジュール組立体を有するのが代表的である。モジュール組立体は寸法及び互換性のための種々の規格に従って構成され、そのうち一つの規格はクワッド・スモール・フォームファクタ・プラガブル（ＱＳＦＰ）モジュール規格である。従来のＱＳＦＰモジュール及びリセプタクル組立体は、毎秒10ギガビット（Gbps）までの速度でデータ信号を問題なく伝送する。別のプラグ脱着可能なモジュール規格、ＸＦＰ規格は、10Gbpsまでの速度でデータ信号を伝送するトランシーバモジュールを提唱する。
【先行技術文献】
【特許文献】
【０００３】
【特許文献１】米国特許第６８１６３７６号明細書
【特許文献２】米国特許第７００１２１７号明細書
【特許文献３】米国特許第７４３８５９６号明細書
【特許文献４】米国特許第７５３９０１８号明細書
【特許文献５】米国特許第７６２５２２３号明細書
【発明の概要】
【発明が解決しようとする課題】
【０００４】
電気デバイス及び光デバイスが小さくなるにつれて、その信号経路の密度が高くなる。また、信号経路に沿って伝播するデータ信号の速度は、より高速のデバイスの要求を満足するために絶えず増大する。従って、増大する信号速度を取り扱うことや高密度の信号経路を有することができるトランシーバ組立体に対する要求がある。しかし、増大した信号速度や高密度のため、トランシーバ組立体内の差動対の信号コンタクトは、通常「クロストーク」と称される相互干渉する。例えば、同一列の互いに隣接する差動対や対向する列の差動対は、クロストークを経験する。このようなクロストークは、トランシーバ組立体の信号経路の沿ったエラーに対する比較的大きな原因になり得る。同一の差動対の信号コンタクト間の結合も、トランシーバ組立体の信号経路に沿ったエラーに対する原因である。また、増大する信号速度や高密度は、トランシーバ組立体の所望のインピーダンス値を維持することを困難にし、その結果、トランシーバ組立体とホスト機器や外部デバイスの間のインピーダンスが不連続となる。
【０００５】
従って、トランシーバ組立体内の信号コンタクト間のクロストークを低減することに対するニーズがある。
【課題を解決するための手段】
【０００６】
この問題は、請求項１に係るストラドルマウントコネクタにより解決される。
【０００７】
本発明によれば、プラグ脱着可能なモジュールの回路基板に縁実装するためのストラドルマウントコネクタは、基部と基部から延びるプラグとを有する誘電性コネクタ本体を具備する。基部は回路基板の一縁に結合されるよう構成され、プラグはリセプタクルコネクタのリセプタクル内に受容されるよう構成される。嵌合部を有する電気コンタクトは、コネクタ本体により保持される。第１組の電気コンタクトの嵌合部は、プラグの第１面に沿って所定長さで延びる第１列に配列される。第２組の電気コンタクトの嵌合部は、プラグの第２面に沿って所定長さで延びる第２列に配列される。第１面及び第２面間のプラグ内には、プレートキャビティが延びる。プレートキャビティ内には、接地プレートが保持される。接地プレートは、電気コンタクトの第１列及び第２列の長さに沿って第１列及び第２列間を延びる。
【図面の簡単な説明】
【０００８】
【図１】トランシーバ組立体の典型的な一実施形態の分解斜視図である。
【図２】リセプタクル組立体の典型的な一実施形態と嵌合するプラグ脱着可能なモジュールの典型的な一実施形態を示す、図１に示されたトランシーバ組立体の断面図である。
【図３】回路基板の典型的な一実施形態と、回路基板に実装するストラドルマウントコネクタの典型的な一実施形態とを示す、図２に示されたプラグ脱着可能なモジュールの一部の分解図である。
【図４】図３とは異なる角度から見た、図３に示されたストラドルマウントコネクタの斜視図である。
【図５】図３及び図４に示されたストラドルマウントコネクタの断面図である。
【図６】図３ないし図５に示されたストラドルマウントコネクタの部分分解斜視図である。
【図７】図３ないし図６に示されたストラドルマウントコネクタの接地プレートの典型的な一実施形態及び１列の電気コンタクトを示す斜視図である。
【図８】ストラドルマウントコネクタの別の典型的な実施形態の斜視図である。
【図９】図８とは異なる角度から見た、図８に示されたストラドルマウントコネクタの別の斜視図である。
【図１０】１列の電気コンタクトの典型的な一実施形態の一部と、接地プレートの典型的な一実施形態の一部とを示す斜視図である。
【図１１】図１０に示された接地プレートの一面を示す斜視図である。
【図１２】ストラドルマウントコネクタの別の典型的な実施形態の斜視図である。
【図１３】図１２に示されたストラドルマウントコネクタの１列の電気コンタクトの典型的な一実施形態を示す斜視図である。
【図１４】図１に示されたトランシーバ組立体のリセプタクルコネクタの典型的な一実施形態の斜視図である。
【図１５】１列の電気コンタクトの典型的な一実施形態を示す、図１４に示されたリセプタクルコネクタの一部の斜視図である。
【図１６】図１４及び図１５に示されたリセプタクルコネクタの一部の部分分解斜視図である。
【発明を実施するための形態】
【０００９】
以下、添付図面を参照して本発明を例示により説明する。
【００１０】
図１は、トランシーバ組立体１０の典型的な一実施形態の一部の斜視図である。この典型的な実施形態において、トランシーバ組立体１０は、とりわけ、ＳＦＰ＋規格で要求される少なくとも10Gbpsのデータ伝送速度等の高速でデータ信号を伝送することに対処するよう構成される。例えば、いくつかの実施形態では、トランシーバ組立体１０は、少なくとも28Gbpsのデータ伝送速度でデータ信号を伝送するよう構成される。また、例えば、いくつかの実施形態では、トランシーバ組立体１０は、約20〜30Gbpsのデータ伝送速度でデータ信号を伝送するよう構成される。しかし、本明細書で説明され図示された本発明の便益及び利点は、他のデータ伝送速度にも多様なシステム及び規格にわたって等しく生ずる。換言すると、本明細書で説明され図示された本発明は、10Gbps以上のデータ伝送速度、規格、本明細書に図示され説明された典型的なタイプのトランシーバ組立体に限定されない。
【００１１】
トランシーバ組立体１０は、ホスト回路基板１６に実装されたリセプタクル組立体１４内にプラグ脱着可能な挿入をするよう構成されたプラグ脱着可能なモジュール１２を具備する。ホスト回路基板１６は、例えばルータ、サーバ、コンピュータ等（但し、これらに限定されない）のホストシステム（図示せず）に実装される。ホストシステムは、ベゼル１８を有する導電性筐体を具備するのが代表的である。ベゼル１８は、リセプタクル組立体１４とほぼ整合しベゼル１８を貫通する開口２０を有する。任意であるが、リセプタクル組立体１４はベゼル１８に電気接続される。
【００１２】
プラグ脱着可能なモジュール１２は、リセプタクル組立体１４内に挿入されるよう構成される。具体的には、プラグ脱着可能なモジュール１２は、プラグ脱着可能なモジュール１２の前端２２がリセプタクル組立体１４から外方へ延びるように、ベゼル開口２０を通ってリセプタクル組立体１４内に挿入される。プラグ脱着可能なモジュール１２はハウジング２４を具備する。ハウジング２４は、その内部に配置された回路基板２６（図２及び図３参照）用の保護シェルを形成する。回路基板２６は、公知の方法でトランシーバの機能を果たす回路、トレース、経路、デバイス等を有する。回路基板２６の縁２８（図２及び図３参照）は、ハウジング２４の後端３０で露出する。典型的な一実施形態において、コネクタ３２（図２ないし図６参照）が、回路基板２６に実装されると共に、以下に説明するように、リセプタクル組立体１４のリセプタクルコネクタ３４にプラグ接続するためにハウジング２４の後端３０を通って露出する。コネクタ３２は図１には図示されていない。コネクタ３２の代替として、プラグ脱着可能なモジュール１２の回路基板２６は、リセプタクルコネクタ３４に直接嵌合してもよい。換言すると、いくつかの代替実施形態において、プラグ脱着可能なモジュール１２の回路基板２６の縁２８は、リセプタクルコネクタ３４のリセプタクル５０内に受容され、プラグ脱着可能なモジュール１２をリセプタクルコネクタ３４に電気接続する。プラグ脱着可能なモジュール１２、回路基板２６やコネクタ３２は、本明細書では「嵌合コネクタ」と称されることがある。
【００１３】
一般に、プラグ脱着可能なモジュール１２及びリセプタクル組立体１４は、ホストシステムと電気信号や光信号と間のインタフェースを要求する用途で使用できる。プラグ脱着可能なモジュール１２は、リセプタクル組立体１４のリセプタクルコネクタ３４を介し、リセプタクル組立体１４を通ってホストシステムに接続される。リセプタクルコネクタ３４は、ケージとも称されるリセプタクル案内フレーム３６内に配置される。図１に示されるように、案内フレーム３６は前端３８を有し、前端３８は、案内フレーム３６の内部空間４２に開放する前開口４０を有する。リセプタクルコネクタ３４は、案内フレーム３６の後部４４で内部空間４２内に位置する。案内フレーム３６の内部空間４２は、プラグ脱着可能なモジュール１２を内部に受容しリセプタクルコネクタ３４と電気接続するよう構成される。
【００１４】
プラグ脱着可能なモジュール１２は、前端２２のコネクタインタフェース４６を通って１本以上の光ケーブル（図示せず）や１本以上の電気ケーブル（図示せず）に接続する。任意であるが、コネクタインタフェース４６は、ファイバ組立体又はケーブル組立体（図示せず）と協働してファイバ組立体又はケーブル組立体をプラグ脱着可能なモジュール１２に固定する機構を具備する。適当なコネクタインタフェース４６は公知であり、ＬＣ型ファイバコネクタ用及び本出願人が提供するＭＴＰ／ＭＰＯ型ファイバコネクタ用のアダプタが含まれる。
【００１５】
図２は、リセプタクル組立体１４と嵌合するプラグ脱着可能なモジュール１２を示す、トランシーバ組立体１０の断面図である。リセプタクルコネクタ３４はホスト回路基板１６上に実装される。リセプタクルコネクタ３４は、リセプタクル５０を有する誘電性コネクタ本体４８を有する。ストラドルマウントコネクタ３２は回路基板２６の縁２８に実装され、以下に詳細に説明されるように、回路基板２６に電気接続される。
【００１６】
リセプタクルコネクタ３４のリセプタクル５０は、その内部にストラドルマウントコネクタ３２のプラグ５２を受容する。リセプタクルコネクタ３４は、電気コンタクト５４及び電気コンタクト５６を具備する。電気コンタクト５４は、リセプタクル５０内に延びると共にストラドルマウントコネクタ３２のプラグ５２の一面６０上の対応する電気コンタクト５８（図３及び図５参照）と係合する。電気コンタクト５６もリセプタクル５０内に延びるが、電気コンタクト５６は、一面６０とは反対側のプラグ５２の他面６４上の対応する電気コンタクト６２（図３ないし図７参照）と係合する。ストラドルマウントコネクタ３２の電気コンタクト５８，６２は、回路基板２６の互いに逆の面７０，７２上の対応する導電コンタクトパッド６６，６８（図３参照）にそれぞれ電気接続され、回路基板２６及びホスト回路基板１６を電気接続する。電気コンタクト５４は、本明細書では「補助コンタクト」と称されることがある。コンタクトパッド６６やコンタクトパッド６８は、本明細書では「嵌合コンタクト」や「コンタクト」と称されることがある。プラグ５２の各面６０，６４は、本明細書では「第１面」、「第２面」と称されることがある。
【００１７】
図３は、回路基板２６及びストラドルマウントコネクタ３２を示す、プラグ脱着可能なモジュール１２の一部の分解図である。回路基板２６は、互いに逆の面７０，７２及び縁２８を有する。縁２８は、縁面７４と、縁面７４近傍に延びる面７０，７２の部分とを有する。コンタクトパッド６６は、縁２８に沿って回路基板２６の面７０上に配列される。コンタクトパッド６８は、縁２８に沿って回路基板２６の面７２上に配列される。
【００１８】
ストラドルマウントコネクタ３２は、回路基板２６の縁２８に実装されるよう構成される。例えば、ストラドルマウントコネクタ３２は、装填方向Ａに沿って縁２８上に装填される。ストラドルマウントコネクタ３２の電気コンタクト５８は実装部７６を具備する。実装部７６は、回路基板２６の面７０上の対応する１個のコンタクトパッド６６に係合する実装インタフェース７７を有する。ストラドルマウントコネクタ３２の電気コンタクト６２は実装部７８を具備する。実装部７８は、回路基板２６の面７２上の対応する１個のコンタクトパッド６８に係合する実装インタフェース７９を有する。電気コンタクト５８，６２の実装部７６，７８は、回路基板２６の縁２８に跨る。
【００１９】
ストラドルマウントコネクタ３２は誘電性コネクタ本体８０を具備する。誘電性コネクタ本体８０は、基部８２と、基部８２から外方へ延びるプラグ５２とを有する。基部８２は、回路基板２６の縁２８に結合されるよう構成される。典型的な一実施形態において、基部８２は、回路基板２６を基部８２にしっかりと結合させるために、回路基板２６の縁２８の一部を基部８２のスロット８４内に圧入で受容する。しかし、基部８２は、例えば、スナップ嵌合接続、ラッチ、ねじ又は他の固定具、接着剤（但し、これらに限定されない）等の手段を用いて、他の構造、手段、接続タイプ等を用いて、回路基板２６の縁２８に結合してもよい。任意であるが、プラグ脱着可能なモジュール１２（図１及び図２参照）のハウジング２４（図１参照）と干渉するために、基部８２の一面８８や一面９０からリブ８６が延びていてもよい。例えば、リブ８６は、プラグ脱着可能なモジュール１２が組み立てられてその後端３０（図１参照）でハウジング２４にストラドルマウントコネクタ３２を固定する際に、プラグ脱着可能なモジュール１２のハウジング２４内に捕捉されてもよい。
【００２０】
上述したように、プラグ５２は、リセプタクルコネクタ３４（図１、図２、図１４ないし図１６参照）のリセプタクル５０（図２及び図１４参照）内に受容されるよう構成される。プラグ５２は互いに逆向きの両面６０，６４を有する。プラグ５２は、基部８２からプラグ５２の端面９２まで外方へ長さＬだけ延びる。後述するように、プラグ５２は、内部に接地プレート９６（図５ないし図７参照）を受容するプレートキャビティ９４を有する。
【００２１】
ストラドルマウントコネクタ３２の電気コンタクト５８，６２はコネクタ本体８０に保持される。電気コンタクト６２は、信号コンタクト６２ａ及び接地コンタクト６２ｂを有する。信号コンタクト６２ａは電気データ信号を伝送するよう構成されるのに対し、接地コンタクト６２ｂは接地に電気接続されるよう構成される。任意であるが、電気コンタクト６２は、電力を伝送するよう構成された１本以上の電力コンタクトを有してもよい。典型的な一実施形態において、ストラドルマウントコネクタ３２の電気コンタクト５８は信号コンタクト５８ａを有するが、接地コンタクトを有していない。しかし、別の実施形態では、電気コンタクト５８は接地コンタクトを有する。任意であるが、電気コンタクト５８は、電力を伝送するよう構成された１個以上の電力コンタクトを有してもよい。各信号コンタクト５８ａ，６２ａは、本明細書では「第１信号コンタクト」及び「第２信号コンタクト」と称されることがある。
【００２２】
ストラドルマウントコネクタ３２の電気コンタクト５８は、電気コンタクト５８がリセプタクルコネクタ３４の対応する電気コンタクト５４（図２及び図１４参照）と係合する嵌合インタフェース１００を有する嵌合部９８を具備する。電気コンタクト５８の嵌合インタフェース１００及び対応する電気コンタクト５４の係合は、コネクタ３２，３４を電気接続する。電気コンタクト５８の嵌合部９８は、プラグ５２の面６０に沿って長さＬ1だけ延びる１列１０２で配列される。列１０２は、列の軸１０４に沿って長さＬ1だけ延びる。電気コンタクト５８は、本明細書では「第１組」や「第２組」と称されることがある。列１０２は、本明細書では「第１列」や「第２列」と称されることがある。各嵌合部９８は、本明細書では「接地嵌合部」と称されることがある。
【００２３】
図４は、図３とは異なる角度から見たストラドルマウントコネクタ３２の斜視図である。より具体的には、図３はプラグ５２及び基部８２の面６０，８８をそれぞれ示すのに対し、図４はプラグ５２及び基部８２の面６４，９０をそれぞれ示す。ストラドルマウントコネクタ３２の電気コンタクト６２は、電気コンタクト６２がリセプタクルコネクタ３４（図１、図２、図１４ないし図１６参照）の対応する電気コンタクト５６（図２、図１５及び図１６参照）と係合する嵌合インタフェース１０８を有する嵌合部１０６を具備する。電気コンタクト６２の嵌合インタフェース１０８及び対応する電気コンタクト５６の係合は、コネクタ３２，３４を電気接続する。電気コンタクト６２の嵌合部１０６は、プラグ５２の面６４に沿って長さＬ2だけ延びる１列１１０で配列される。列１１０は、列の軸１１２に沿って長さＬ2だけ延びる。電気コンタクト６２は、本明細書では「第１組」や「第２組」と称されることがある。列１１０は、本明細書では「第１列」や「第２列」と称されることがある。
【００２４】
図５は、ストラドルマウントコネクタ３２の断面図である。図５は、電気コンタクト６２の列１１０内の信号コンタクト６２ａ及び電気コンタクト５８の列１０２内の信号コンタクト５８ａを示す。信号コンタクト５８ａ，６２ａは、コネクタ本体８０の基部８２にしっかりと結合されたコンタクト基部１１４ａ，１１６ａを有する。典型的な一実施形態において、コンタクト基部１１４ａ，１１６ａは１個以上の保持ボス１１８ａ，１２０ａをそれぞれ有する。保持ボス１１８ａ，１２０ａは、基部８２の一部と係合して基部の８２の一部と圧入を形成し、コネクタ本体８０に対して所定位置にコンタクト５８ａ，６２ａを保持する。加えて又は代わりに、コンタクト５８ａやコンタクト６２ａは、例えば、スナップ嵌合接続、ラッチ、ねじ又は他の固定具、接着剤等（但し、これらに限定されない）等の手段を用いて、他の構造、手段、接続タイプ等を用いて、コネクタ本体８０にしっかりと結合されてもよい。
【００２５】
信号コンタクト５８ａ，６２ａの嵌合部９８ａ，１０６ａは、プラグ５２の面６０，６４に沿ってコンタクト基部１１４ａ，１１６ａから外方へそれぞれ長さＬ3，Ｌ4だけ延びる。嵌合部９８ａ，１０６ａの嵌合インタフェース１００ａ，１０８ａは、リセプタクルコネクタ３４（図１、図２、図１４ないし図１６参照）の電気コンタクト５４（図２及び図１４参照）及び電気コンタクト５６（図２、図１５及び図１６参照）と嵌合するためにそれぞれ設けられる。各嵌合部９８ａ，１０６ａは、本明細書では「信号嵌合部」と称されることがある。
【００２６】
信号コンタクト５８ａ，６２ａの実装部７６ａ，７８ａは、嵌合部９８ａ，１０６ａとは逆向きにコンタクト基部１１４ａ，１１６ａから外方へそれぞれ延びる。実装部７６ａ，７８ａは、回路基板２６（図２及び図３参照）の面７０，７２上の各コンタクトパッド６６，６８（図３参照）と係合する実装インタフェース７７ａ，７９ａを有する。回路基板２６の縁２８（図２及び図３参照）を受容するために、実装部７６ａ，７８ａの間には空間１２２が設けられる。換言すると、信号コンタクト５８ａ，６２ａの実装部７６ａ，７８ａは、その間に回路基板２６の縁２８を跨ぐ。任意であるが、実装インタフェース７７ａや実装インタフェース７９ａは、各コンタクトパッド６６，６８に半田付けされる。他の実施形態では他の実装手段も可能である。任意であるが、図５に見られるように、信号コンタクト５８ａ，６２ａは、プラグ５２の逆向きの面６０，６４上で信号コンタクト５８ａが信号コンタクト６２ａと整列するように配列される。
【００２７】
簡潔に上述したように、プラグ５２は、接地プレート９６を受容するプレートキャビティ９４を有する。プレートキャビティ９４は、面６０，６４間のプラグ５２内に延びる。プレートキャビティ９４は、プラグ５２の端面９２に向かってプラグ５２に沿って延びる。任意であるが、プレートキャビティ９４は端面９２を貫通してもよい。図５は、プレートキャビティ９４内に受容された接地プレート９６を示す。接地プレート９６は、プレートキャビティ９４内に取り付けられると、各列１０２，１１０の長さＬ1（図３参照），Ｌ2（図４参照）に沿って電気コンタクト５８，６２の列１０２，１１０の間を延びる。接地プレート９６は、信号コンタクト５８ａ，６２ａの嵌合部９８ａ，１０６ａの長さＬ3，Ｌ4に沿って列１０２，１１０の間を延びる。任意であるが、図５に見られるように、接地プレート９６は、信号コンタクト５８ａ，６２ａの嵌合部９８ａ，１０６ａの長さＬ3，Ｌ4の全長に沿って列１０２，１１０の間を延びる。接地プレート９６がプレートキャビティ９４内に取り付けられると、プラグ５２は、誘電性材料製の下層１０１、接地プレート９６により区画される中間層１０５、及び誘電性材料製の上層１０３からなる層構造を有する。下層１０１はプラグ５２の面６０を含むのに対し、上層１０３はプラグ５２の面６４を含む。
【００２８】
図６は、電気コンタクト６２の接地コンタクト６２ｂ及び接地プレート９６を示す、ストラドルマウントコネクタの部分分解斜視図である。図６は、プラグ５２の面６４に沿って配列された電気コンタクト６２の列１１０内の信号コンタクト６２ａを示す。しかし、電気コンタクト６２の列１１０内の接地コンタクト６２ｂは、明瞭にするためにプラグ５２の面６４から分離した状態で図示されている。また、接地プレート９６は、明瞭にするためにプラグ５２から分離した状態で図示されている。
【００２９】
接地コンタクト６２ｂは、コネクタ本体８０の基部８２に任意でしっかりと結合されたコンタクト基部１１６ｂを有する。典型的な一実施形態において、コンタクト基部１１６ｂは１個以上の保持ボス１２０ｂをそれぞれ有する。保持ボス１２０ｂは、基部８２の一部と係合して基部の８２の一部と圧入を形成し、コネクタ本体８０に対して所定位置に接地コンタクト６２ｂを保持する。加えて又は代わりに、接地コンタクト６２ｂは、例えば、スナップ嵌合接続、ラッチ、ねじ又は他の固定具、接着剤（但し、これらに限定されない）等の手段を用いて、他の構造、手段、接続タイプ等を用いて、コネクタ本体８０にしっかりと結合されてもよい。
【００３０】
接地コンタクト６２ｂの嵌合部１０６ｂは、コンタクト基部１１６ｂから外方へ長さＬ5だけ延びる。図４に示されるように、嵌合部１０６ｂはプラグ５２の面６４に沿って延びる。嵌合部１０６ｂの嵌合インタフェース１０８ｂは、リセプタクルコネクタ３４（図１、図２、図１４ないし図１６参照）の対応する電気コンタクト５６（図２、図１５及び図１６参照）と嵌合するために設けられる。各嵌合部１０６ｂは、本明細書では「接地嵌合部」と称されることがある。
【００３１】
接地コンタクト６２ｂは、接地プレート９６及び接地コンタクト６２ｂが電気的に共通となるように、接地プレート９６と任意で係合すると共に接地プレート９６に電気接続される。例えば、接地コンタクト６２ｂの嵌合部１０６ｂは、プラグ５２の面６４を貫通すると共にプレートキャビティ９４（図４及び図５参照）と繋がる開口１２４を任意に貫通する。開口１２４は、嵌合部１０６ｂを接地プレート９６に係合させることにより接地プレート９６に電気接続させる。任意であるが、コンタクト基部１１６ｂは、接地コンタクト６２ｂを接地プレート９６に実装するための保持タブ１２６を有する。
【００３２】
接地コンタクト６２ｂの実装部７８ｂは、嵌合部１０６ｂとは逆向きにコンタクト基部１１６ｂから外方へ延びる。実装部７８ｂは、回路基板２６の面７２（図２及び図３参照）上の対応するコンタクトパッド６８（図３参照）と係合する実装インタフェース７９ｂを有する。任意であるが、実装インタフェース７９ｂは、対応するコンタクトパッド６８に半田付けされる。他の実施形態では他の実装手段も可能である。
【００３３】
接地プレート９６は、一端１２８から反対側の端１３０まで長さＬ6だけ延びる。接地プレート９６は、一端１３２から反対側の端１３４まで幅Ｗだけ延びる。典型的な一実施形態において、図６に見られるように、接地プレート９６はほぼ平坦である。より具体的には、接地プレート９６は、端１２８，１３０間、及び端１３２，１３４間に区画されるほぼ平坦形状を有する。任意であるが、接地プレート９６は、接地コンタクト６２ｂを接地プレート９６に実装するために接地コンタクト６２ｂの保持タブ１２６を圧入で受容する複数のスロット１３６を有する。加えて又は代わりに、例えば、スナップ嵌合接続、ラッチ、ねじ又は他の固定具、接着剤（但し、これらに限定されない）等の手段を用いて、接地コンタクト６２ｂを接地プレート９６に実装するのに他の構造、手段、接続タイプ等を用いてもよい。
【００３４】
図４を再度参照すると、接地プレート９６は破線で指示される。接地プレート９６は、プレートキャビティ９４内に取り付けられると、各列１０２，１１０の長さＬ1（図３参照）及び長さＬ2に沿って電気コンタクト５８，６２の列１０２，１１０間を延びる。より具体的には、接地プレート９６の長さＬ6（図６参照）は、各列１０２，１１０の長さＬ1及び長さＬ2に沿って電気コンタクト５８，６２の列１０２，１１０間を延びる。任意であるが、接地プレート９６の長さＬ6は、各列１０２，１１０の長さＬ1及び長さＬ2の全長に沿って列１０２，１１０間を延びてもよい。
【００３５】
接地プレート９６はまた、各嵌合部９８，１０６の長さに沿って電気コンタクト５８（図３及び図５参照）及び電気コンタクト６２の列１０２，１１０の間を延びる。より具体的には、接地プレート９６の幅Ｗは、列１１０の信号コンタクト６２ａ及び接地コンタクト６２ｂの各嵌合部１０６ａ，１０６ｂの長さＬ4及び長さＬ5に沿って電気コンタクト５８，６２の列１０２，１１０間を延びる。任意であるが、接地プレート９６の幅Ｗは、各嵌合部１０６ａ，１０６ｂの長さＬ4及び長さＬ5の全長に沿って列１０２，１１０間を延びてもよい。接地プレート９６の幅Ｗはまた、列１１０の信号コンタクト５８の嵌合部９８の長さＬ3に沿って電気コンタクト５８，６２の列１０２，１１０間を延びる。任意であるが、接地プレート９６の幅Ｗは、嵌合部９８の長さＬ3の全長に沿って列１０２，１１０間を延びてもよい。
【００３６】
図７は、電気コンタクト６２の列１１０及び接地プレート９６を示す斜視図である。図７に見られるように、電気コンタクト６２の接地コンタクト６２ｂは、接地コンタクト６２が接地プレート９６と係合し電気接続するように、接地プレート９６に実装される。或いは、１個以上の接地コンタクト６２ｂは、接地プレート９６に実装されず、または接地プレート９６に係合していなくてもよい。
【００３７】
典型的な一実施形態において、列１１０の信号コンタクト６２ａは、差動対６２Ａで配列される。或いは、列１１０の１個以上の信号コンタクト６２ａは、列１１０の他の信号コンタクト６２ａと差動対で配列されていない。また、列１１０の１個以上の信号コンタクト６２ａは、列１０２（図４及び図５参照）の信号コンタクト５８ａ（図３及び図５参照）内に差動対で配列されてもよい。
【００３８】
接地コンタクト６２ｂは、信号コンタクト６２ａの差動対６２Ａ間に配列される。より具体的には、接地コンタクト６２ｂの嵌合部１０６ｂは、信号コンタクト６２ａの隣接する差動対６２Ａの嵌合部１０６ａ間の列１１０内に配列される。接地コンタクト６２ｂの嵌合部１０６ｂは、隣接する信号コンタクト６２ａの嵌合部１０６ａ間を電気シールドする。典型的な一実施形態において、図７に示されるように、接地コンタクト６２ｂは、信号コンタクト６２ａの隣接する差動対６２Ａ間を電気シールドする。任意であるが、電気コンタクト６２の列１１０は、列１１０の一端１３８や反対側の端１４１に接地コンタクト６２ｂを有する。単一の信号コンタクト６２ｂのみが、隣接する差動対６２Ａ間を延びるものとして示されているが、隣接する差動対６２Ａ間には任意の数の接地コンタクト６２ｂが延びてもよい。
【００３９】
各電気コンタクト６２の嵌合部１０６は、対向する基板側面１４０と、基板側面１４０間を延びる対向する縁側面１４２とを有する。より具体的には、信号コンタクト６２ａの嵌合部１０６ａは基板側面１４０ａ及び縁側面１４２ａを有するのに対し、接地コンタクト６２ｂの嵌合部１０６ｂは基板側面１４０ｂ及び縁側面１４２ｂを有する。図７に見られるように、基板側面１４０ａは、縁側面１４２ａより大きな表面積を有する。同様に、基板側面１４０ｂは、縁側面１４２ｂより大きな表面積を有する。接地コンタクト６２ｂの基板側面１４０ｂは、信号コンタクト６２ａの縁側面１４２ａより大きな表面積を有する。差動対６２Ａ内では、１個の信号コンタクト６２ａの縁側面１４２ａは、任意に他の信号コンタクト６２ａの縁側面１４２ａと対面する。例えば、差動対６２Ａ内の信号コンタクト６２ａの縁側面１４２ａは、任意に互いにほぼ平行に延びる。差動対６２Ａ内の信号コンタクト６２ａの嵌合部１０６ａは、信号コンタクトの少なくともいくつかの公知の差動対の嵌合部より接近して位置してもよい。
【００４０】
各接地コンタクト６２ｂについては、嵌合部１０６ｂの基板側面１４０ｂは、隣接する信号コンタクト６２ａの嵌合部１０６ａの対応する縁側面１４２ａと対面する。例えば、接地コンタクト６２ｂａの嵌合部１０６ｂの１個の基板側面１４０ｂａは隣接する信号コンタクト６２ａａの嵌合部１０６ａの縁側面１４２ａａと対面するのに対し、接地コンタクト６２ｂａの嵌合部１０６ｂの別の基板側面１４０ｂｂは別の隣接する信号コンタクト６２ａｂの嵌合部１０６ａの縁側面１４２ａｂと対面する。任意であるが、接地コンタクト６２ｂの縁側面１４２ｂは、図７に示される平面１４８で指示されるように、信号コンタクト６２ａの基板側面１４０ａと共平面に延びる。
【００４１】
接地コンタクト６２ｂの嵌合部１０６ｂは、少なくともいくつかの公知の接地コンタクトより多くのシールド量を提供できる。また、接地コンタクト６２ｂの嵌合部１０６ｂは、少なくともいくつかの公知の接地コンタクトと比較して同じシールド量を提供しながら、隣接する信号コンタクト６２ａ（例えば、信号コンタクト６２ａの隣接する差動対６２Ａ）をより接近させることができる。
【００４２】
典型的な一実施形態において、図７に見られるように、接地コンタクト６２ｂの嵌合部１０６ｂの基板側面１４０ｂは、隣接する信号コンタクト６２ａの嵌合部１０６ａの基板側面１４０ａにほぼ直交して延びる。例えば、接地コンタクト６２ｂの基板側面１４０ｂは平面１４６内に位置し、信号コンタクト６２ａの基板側面１４０ａは平面１４８内に位置する。平面１４６は、平面１４８にほぼ直交する向きを向く。しかし、接地コンタクト６２ｂの嵌合部１０６ｂの基板側面１４０ｂは、隣接する信号コンタクト６２ａの嵌合部１０６ａの基板側面１４０ａに対して非平行な角度で延びていてもよい。
【００４３】
図３を再度参照すると、典型的な一実施形態において、電気コンタクト５８の列１０２は接地コンタクトを有していない。或いは、電気コンタクト５８の列１０２は、１個以上の接地コンタクトを有する。例えば、電気コンタクト５８の列１０２は、信号コンタクト５８ａ（図３及び図５参照）の嵌合部９８ａの形状や方向性を有する嵌合部を有する１個以上の接地コンタクトを有する。別の例は、接地コンタクト６２ｂ（図３、図４、図６及び図７参照）の嵌合部１０６ｂ（図４、図６及び図７参照）の形状や方向性を有する嵌合部を有する１個以上の接地コンタクトを有する電気コンタクト５８の列１０２を設けることである。
【００４４】
電気コンタクト５８の列１０２が少なくとも１個の接地コンタクトを有する実施形態において、列１０２内の１個以上の接地コンタクトは、列１１０内の１個以上の接地コンタクト６２ｂに電気接続され、電気接続された接地コンタクトを電気的に共通にしてもよい。例えば、列１０２内の接地コンタクトは、列１１０内の接地コンタクト６２ｂと係合してもよい。また、例えば、列１０２内の接地コンタクトは、接地プレート９６を介して列１１０内の接地コンタクト６２ｂに電気接続（例えば、両接地コンタクトが接地プレート９６と係合）されてもよい。
【００４５】
図８は、別の典型的な実施形態のストラドルマウントコネクタ２３２の斜視図である。ストラドルマウントコネクタ２３２は、異なる列３０２（図９参照）に配列された対応する接地コンタクト２５８ｂ（図９参照）と係合する、１列３１０に配列された接地コンタクト２６２ｂを具備する。ストラドルマウントコネクタ２３２は、ストラドルマウントコネクタ３２（図２ないし図６参照）とほぼ同様に、回路基板２６（図２及び図３参照）の縁２８（図２及び図３）に実装されるよう構成される。
【００４６】
ストラドルマウントコネクタ２３２は、誘電性コネクタ本体２８０を具備する。誘電性コネクタ本体２８０は、基部２８２と、基部２８２から外方へ延びるプラグ２５２とを有する。プラグ２５２は、リセプタクルコネクタ３４（図１、図２、図１４ないし図１６参照）のリセプタクル５０（図２及び図１４参照）内に受容されるよう構成される。プラグ２５２は、互いに対向する面２６０，２６４を有する。図８は、プラグ２５２の面２６４を図示する。任意であるが、プラグ２５２は、内部に任意の接地プレート２９６（図１０及び図１１参照）を受容するプレートキャビティ（図示せず）を有する。プラグ２５２の各面２６０，２６４は、本明細書では「第１面」、「第２面」と称されることがある。
【００４７】
コネクタ本体２８０は、複数の電気コンタクト２５８（図９参照）及び複数の電気コンタクト２６２を保持する。電気コンタクト２６２は、信号コンタクト２６２ａ及び接地コンタクト２６２ｂを具備する。信号コンタクト２６２ａは電気データ信号を伝送するよう構成されるのに対し、接地コンタクト２６２ｂは接地に電気接続されるよう構成される。任意であるが、電気コンタクト２６２は、電力を伝送するよう構成された１個以上の電力コンタクトを有してもよい。信号コンタクト２６２ａ及び接地コンタクト２６２ｂは、電気コンタクト２６２がリセプタクルコネクタ３４の対応する電気コンタクト５６（図２、図１５及び図１６参照）と係合する嵌合インタフェース３０８ａ，３０８ｂを有する嵌合部３０６ａ，３０６ｂを具備する。信号コンタクト２６２ａ及び接地コンタクト２６２ｂの嵌合部３０６ａ，３０６ｂは、プラグ２５２の面２６４に沿って所定長さだけ延びる列３１０に配列される。電気コンタクト２６２は、本明細書では「第１組」や「第２組」と称されることがある。列３１０は、本明細書では「第１列」や「第２列」と称されることがある。各電気コンタクト２６２ａは、本明細書では「第１信号コンタクト」や「第２信号コンタクト」と称されることがある。各嵌合部３０６ａは、本明細書では「信号嵌合部」と称されることがある。各嵌合部３０６ｂは、本明細書では「接地嵌合部」と称されることがある。
【００４８】
図９は、図８とは異なる角度から見たストラドルマウントコネクタ２３２の別の斜視図である。図９は、プラグ２５２の面２６０を図示する。電気コンタクト２５８は、信号コンタクト２５８ａ及び接地コンタクト２５８ｂを具備する。信号コンタクト２５８ｂは電気信号を伝送するよう構成されるのに対し、接地コンタクト２５８ｂは接地に電気接続されるよう構成される。任意であるが、電気コンタクト２５８は、電力を伝送するよう構成された１個以上の電力コンタクトを具備する。各信号コンタクト２５８ａは、本明細書では「第１信号コンタクト」や「第２信号コンタクト」と称されることがある。
【００４９】
信号コンタクト２５８ａ及び接地コンタクト２５８ｂは、電気コンタクト２６２がリセプタクルコネクタ３４の対応する電気コンタクト５４（図２及び図１４参照）と係合する嵌合インタフェース３００ａ，３００ｂを有する嵌合部２９８ａ，２９８ｂを具備する。信号コンタクト２５８ａ及び接地コンタクト２５８ｂの嵌合部２９８ａ，２９８ｂは、プラグ２５２の面２６０に沿って所定長さだけ延びる列３０２に配列される。電気コンタクト２５８は、本明細書では「第１組」や「第２組」と称されることがある。列３０２は、本明細書では「第１列」や「第２列」と称されることがある。各嵌合部２９８ａは、本明細書では「信号嵌合部」と称されることがある。各嵌合部２９８ｂは、本明細書では「接地嵌合部」と称されることがある。
【００５０】
図９に見られるように、列３１０の少なくとも１個の接地コンタクト２６２ｂは、プラグ２５２の面２６０に沿って延びる共通部（commoning segment）３５０を具備する。共通部３５０は、列３０２の対応する１個の接地コンタクト２５８ｂと係合し、列３１０の接地コンタクト２６２ｂを列３０２の対応する接地コンタクト２５８ｂに電気接続する。図８を再度参照すると、共通部３５０は、プラグ２５２の面２６４に沿って対応する接地コンタクト２６２ｂの嵌合部３０６ｂから外方へ延びる。図８及び図９を一緒に考慮すると明白であるように、共通部３５０は、プラグ２５２の面２６４からプラグ２５２の面２６０まで延びる。図９を再度参照すると、共通部３５０は、プラグ２５２の面２６０に沿って延び、列３０２の対応する接地コンタクト２５８ｂの嵌合部２９８ｂの接触先端３５２と係合状態となる。
【００５１】
典型的な一実施形態において、共通部３５０はプラグ２５２を貫通する。より具体的には、共通部３５０は、プラグ２５２の面２６４からプラグ２５２を通ってプラグ２５２の面２６０まで延びる。或いは、共通部３５０は、プラグ２５２の面２６４からプラグ２５２の端面２９２を越えて面２６０まで延びる。いくつかの接地コンタクト２６２ｂのみが共通部を有するように図示されているが、列３１０の全接地コンタクト２６２ｂが共通部３５０を有してもよい。
【００５２】
ストラドルマウントコネクタ２３２は、接地プレート２９６が電気コンタクト２５８，２６２の列３０２，３１０間を延びるように、プラグ２５２内に保持された接地プレート２９６（図１０及び図１１参照）を任意で有する。図１０は、電気コンタクト２６２の列３１０の一部と、接地プレート２９６の一部とを示す斜視図である。列３１０の信号コンタクト２６２ａは、明瞭にするために除去されている。接地プレート２９６は、対向する面３５４，３５６と、面３５４から面３５６まで延びる縁３５８とを有する。接地プレート２９６がプラグ２５２内に保持されると、接地プレート２９６の面３５４はプラグ２５２の面２６４と対面するのに対し、面３５６はプラグ２５２の面２６０と対面する。
【００５３】
列３１０の接地コンタクト２６２ｂは、嵌合部１０６ｂが接地プレート２９６の面３５４に沿って延びるように、接地プレート２９６に実装される。共通部３５０は、接地プレート２９６の面３５４に沿って対応する嵌合部１０６ｂから外方へ延びる。共通部３５０は、接地プレート２９６の一縁３５８ａを越えて接地プレート２９６の面３５６まで延びる。図１１は、接地プレート２９６の面３５６を示す別の斜視図である。共通部３５０は、接地プレート２９６の面３５４から縁３５８ａを越えて面３５６まで延びる。図１１に見られるように、共通部３５０は、列３０２（図９参照）の対応する接地コンタクト２５８ｂ（図９参照）の接触先端３５２（図９参照）と係合するために、接地プレート２９６の面３５６に沿って接地プレート２９６の一縁３５８ｂの方へ延びる。
【００５４】
図１２は、別の典型的な実施形態のストラドルマウントコネクタ４３２の斜視図である。ストラドルマウントコネクタ４３２は、嵌合シーケンスを有する１列５１０の電気コンタクト４６２を具備する。換言すると、列５１０のいくつかの電気コンタクト４６２は、列５１０の他の電気コンタクト４６２の前に、リセプタクルコネクタ３４（図１、図２、図１４ないし図１６参照）の対応する電気コンタクト５６（図２、図１５及び図１６参照）と嵌合する。ストラドルマウントコネクタ４３２は、ストラドルマウントコネクタ３２（図２ないし図６参照）及びストラドルマウントコネクタ２３２（図８及び図９参照）とほぼ同様に、回路基板２６（図２及び図３参照）の縁２８（図２及び図３参照）に実装されるよう構成される。電気コンタクト４６２は、本明細書では「第１組」や「第２組」と称されることがある。
【００５５】
ストラドルマウントコネクタ４３２は、誘電性コネクタ本体４８０を具備する。誘電性コネクタ本体４８０は、基部４８２と、基部４８２から外方へ延びるプラグ４５２とを有する。プラグ４５２は、リセプタクルコネクタ３４のリセプタクル５０（図２及び図１４参照）内に受容されるよう構成される。プラグ４５２は、互いに対向する面４６０，４６４を有すると共に、基部４８２からプラグ４５２の端面４９２まで外方に所定長さだけ延びる。任意であるが、プラグ４５２は、内部に任意の接地プレート（図示せず）を受容するプレートキャビティ（図示せず）を有する。プラグ４５２の各面４６０，４６４は、本明細書では「第１面」、「第２面」と称されることがある。
【００５６】
コネクタ本体４８０は、複数の電気コンタクト４６２を保持する。電気コンタクト４６２は、電気コンタクト４６２がリセプタクルコネクタ３４の対応する電気コンタクト５６と係合する嵌合インタフェース５０８を有する嵌合部５０６を具備する。電気コンタクト４６２の嵌合部５０６は、プラグ４５２の面４６４に沿って所定長さだけ延びる列５１０に配列される。列５１０は、本明細書では「第１列」や「第２列」と称されることがある。各嵌合部５０６は、本明細書では「信号嵌合部」や「接地嵌合部」と称されることがある。
【００５７】
コネクタ本体４８０は、プラグ４５２の面４６０上に１列に配列された嵌合部（図示せず）を有する複数の電気コンタクト（図示せず）を任意で保持する。プラグ４５２の面４６０上に配列された嵌合部を有するこのような列の電気コンタクトは、電気コンタクトがリセプタクルコネクタ３４の対応する電気コンタクト５４（図２及び図１４参照）と係合する嵌合インタフェース（図示せず）を具備する。プラグ４５２の面４６０上の各電気コンタクトは、本明細書では「第１信号コンタクト」や「第２信号コンタクト」と称されることがある。
【００５８】
電気コンタクト４６２は、信号コンタクト４６２ａ及び接地コンタクト４６２ａを有する。電気コンタクト４６２は、電力コンタクト４６２ｃ、寄せ集め信号コンタクト４６２ｄや１個以上の検知コンタクト４６２ｅを任意に有する。信号コンタクト４６２ａは、電気データ信号を伝送するよう構成されると共に、差動対４６２Ａに配列される。接地コンタクト４６２ｂは、接地に電気接続されるよう構成される。電力コンタクト４６２ｃは、電力を伝送するよう構成される。寄せ集め信号コンタクト４６２ｄは、電気データ信号を伝送するよう構成されるが、差動対に配列されていない。検知コンタクト４６２ｅは、列５１０の他の電気コンタクト４６２全てがリセプタクルコネクタ３４の対応する電気コンタクト５６と嵌合完了した等の（ただし、これに限定されない）所定の事象を検知するよう構成される。ストラドルマウントコネクタ４３２は、任意の数の電気コンタクト４６２ａ，４６２ｂ，４６２ｃ，４６２ｄ，４６２ｅを有してもよい。各信号コンタクト４６２ａは、本明細書では「第１信号コンタクト」や「第２信号コンタクト」と称されることがある。
【００５９】
電気コンタクト４６２の嵌合部５０６は、基部４８２から嵌合部５０６の接触先端５５２までプラグ４５２の面４６４に沿って所定長さだけ延びる。少なくとも１個の電気コンタクト４６２は、少なくとも１個の他の電気コンタクト４６２の接触先端５５２よりもプラグ４５２の端面４９２に接近して位置する接触先端５５２を有する。従って、プラグ４５２がリセプタクルコネクタ３４のリセプタクル５０（図２及び図１４参照）に挿入されると、端面４９２より接近した接触先端５５２を有する電気コンタクト４６２の嵌合部５０６は、端面４９２からより遠い接触先端５５２を有する電気コンタクト４６２の嵌合部５０６が対応する電気コンタクト５６と嵌合する前に、リセプタクルコネクタ３４の対応する電気コンタクト５６と嵌合する。
【００６０】
典型的な一実施形態において、検知コンタクト４６２ｅの嵌合部５０６は、基部４８２から検知コンタクト４６２ｅの接触先端５５２ｅまで面４６４に沿って長さＬ7だけ延びる。このため、検知コンタクト４６２ｅの接触先端５５２ｅは、プラグ４５２の端面４９２から距離Ｄに位置する。信号コンタクト４６２ａの嵌合部５０６は、基部４８２から信号コンタクト４６２ａの接触先端５５２まで面４６４に沿って長さＬ8だけ延びる。寄せ集め信号コンタクト４６２ｄの嵌合部５０６もまた、基部４８２から寄せ集めコンタクト４６２ｄの接触先端５５２まで面４６４に沿って長さＬ8だけ延びる。従って、信号コンタクト４６２ａ及び寄せ集め信号コンタクト４６２ｄの接触先端５５２はそれぞれ、プラグ４５２の端面４９２から距離Ｄ1に位置する。電力コンタクト４６２ｃの嵌合部５０６は、基部４８２から電力コンタクト４６２ｃの接触先端５５２まで面４６４に沿って長さＬ9だけ延びる。このため、電力コンタクト４６２ｃの接触先端５５２は、プラグ４５２の端面４９２から距離Ｄ2に位置する。接地コンタクト４６２ｂの嵌合部５０６は、基部４８２から接地コンタクト４６２ｂの接触先端５５２まで面４６４に沿って長さＬ10だけ延びる。従って、接地コンタクト４６２ｂの接触先端５５２は、プラグ４５２の端面４９２から距離Ｄ3に位置する。
【００６１】
図１２に見られるように、典型的な一実施形態において、長さＬ10は長さＬ9より大きく、長さＬ9は長さＬ8より大きく、長さＬ8は長さＬ7より大きい。従って、距離Ｄは距離Ｄ1より大きく、距離Ｄ1は距離Ｄ2より大きく、距離Ｄ2は距離Ｄ3より大きい。このため、接地コンタクト４６２ｂの接触先端５５２ｂは、電力コンタクト４６２ｃの接触先端５５２ｃよりプラグ４５２の端面４９２に近接して位置する。電力コンタクト４６２ｃの接触先端５５２ｃは、信号コンタクト４６２ａ及び寄せ集め信号コンタクト４６２ｄの接触先端５５２ａ，５５２ｄよりプラグ４５２の端面４９２に近接して位置する。信号コンタクト４６２ａ及び寄せ集め信号コンタクト４６２ｄの接触先端５５２ａ，５５２ｄはそれぞれ、検知コンタクト４６２ｅの接触先端５５２ｅよりプラグ４５２の端面４９２に近接して位置する。
【００６２】
従って、プラグ４５２がリセプタクルコネクタ３４のリセプタクル５０内に挿入されると、接地コンタクト４６２ｂが、リセプタクルコネクタ３４の対応するコンタクト５６と最初に嵌合する。次に、電力コンタクト４６２ｃが、リセプタクルコネクタ３４の対応するコンタクト５６と嵌合する。その後、信号コンタクト４６２ａ及び寄せ集め信号コンタクト４６２ｄが、対応するコンタクト５６と嵌合する。検知コンタクト４６２ｅは、リセプタクルコネクタ３４の対応するコンタクト５６と嵌合する最後の電気コンタクト４６２である。換言すると、電気コンタクト４６２のリセプタクルコネクタ３４の対応する電気コンタクト５６との嵌合シーケンスは、接地コンタクト４６２ｂで始まり、次に電力コンタクト４６２ｃであり、その後、信号コンタクト４６２ａ及び寄せ集め信号コンタクト４６２ｄであり、最後が検知コンタクト４６２ｅである。
【００６３】
典型的な一実施形態において、電気コンタクト４６２の対応する電気コンタクト５６との嵌合シーケンスは、４段階からなる。すなわち、嵌合シーケンスの第１段階は接地コンタクト４６２ｂであり、第２段階は電力コンタクト４６２ｃであり、第３段階は信号コンタクト４６２ａ及び寄せ集め信号コンタクト４６２ｄであり、第４段階は検知コンタクト４６２ｅである。しかし、電気コンタクト４６２の嵌合シーケンスは、任意の他の数の段階からなっていてもよい。さらに、嵌合シーケンスは、本明細書で説明し図示された電気コンタクト４６２ａ，４６２ｂ，４６２ｃ，４６２ｄ，４６２ｅの順に限定されない。むしろ、嵌合シーケンスは、電気コンタクト４６２ａ，４６２ｂ，４６２ｃ，４６２ｄ，４６２ｅの任意の嵌合の他の順からなっていてもよい。例えば、リセプタクルコネクタ３４のコネクタ本体４８は互いに対して異なる長さや位置でリセプタクルコネクタ３４の電気コンタクトを提供するよう再構成される必要はないので、ストラドルマウントコネクタ４３２に嵌合シーケンスを設けることにより、リセプタクルコネクタ３４をより容易に或いはより低コストで製造することができる。
【００６４】
図１３は、電気コンタクト４６２の列５１０を示す斜視図である。典型的な一実施形態において、図１３に見られるように、異なる長さＬ7，Ｌ8，Ｌ9，Ｌ10（図１２参照）は、電気コンタクト４６２を異なる全長にすることにより与えられる。例えば、各接地コンタクト４６２ｂの全長ＯＬは、各電力コンタクト４６２ｃの全長ＯＬ1よりも長い。同様に、各電力コンタクト４６２ｃの全長ＯＬ1は、各信号コンタクト４６２ａ及び各寄せ集め信号コンタクト４６２ｄの全長ＯＬ2よりも長い。最後に、各コンタクト４６２ａ，４６２ｄの全長ＯＬ2は、検知コンタクト４６２ｅの全長ＯＬ3よりも長い。しかし、別の実施形態において、１個以上の電気コンタクト４６２の位置は、異なる長さＬ7，Ｌ8，Ｌ9，Ｌ10を提供するよう１個以上の他の電気コンタクト４６２に対してプラグ４５２（図１２参照）の長さに沿ってずれている。
【００６５】
図１４は、リセプタクルコネクタ３４の典型的な一実施形態の斜視図である。リセプタクルコネクタ３４は、前端６００から後端６０２まで延びると共に下面６０４を有するコネクタ本体４８を有する。コネクタ本体４８は、下面６０４でホスト回路基板１６（図１及び図２参照）に実装されるよう構成される。コネクタ本体４８の前端６００はリセプタクル５０を有する。特に、リセプタクル５０は、前端６００を貫通すると共に後端６０２に向かってコネクタ本体４８内に延びる。
【００６６】
リセプタクルコネクタ３４の電気コンタクト５４はコネクタ本体４８に保持される。任意であるが、コネクタ本体４８は、内部に対応する電気コンタクト５４を受容する複数の溝６０６を有する。溝６０６は、互いに対して所定位置（例えば、横並び位置）に電気コンタクト５４を保持することを容易にする。電気コンタクト５４は、嵌合部６０８と、実装足６１０を含む実装部６０９とを有する。電気コンタクト５４の実装部６０９は、コネクタ本体４８の前端６００に沿って延びる列６１１に配列される。電気コンタクト５４の嵌合部６０８は、列６１２内に配列されると共にリセプタクル５０内に延びる。嵌合部６０８は、リセプタクル５０内に露出する嵌合インタフェース６１４を有する。電気コンタクト５４の嵌合インタフェース６１４は、ストラドルマウントコネクタ３２（図２ないし図６参照）の対応する１個の電気コンタクト５８（図３及び図５参照）と係合するよう構成される。
【００６７】
図１４に見られるように、電気コンタクト５４の実装足６１０は、コネクタ本体４８の前端６００に沿って延びる。典型的な一実施形態において、各電気コンタクト５４の実装足６１０は、ホスト回路基板１６に表面実装されるよう構成される。特に、実装足６１０は、電気接続や光接続におけるホスト回路基板１６上の対応する接続部（図示せず）上に実装される。別の実施形態において、１個以上の電気コンタクト５４は、ホスト回路基板１６のバイア（図示せず）内に受容される（実装足６１０の代わりの）コンプライアントピン（但し、これに限定されない）等の、表面実装とは別のタイプの実装を用いてホスト回路基板１６に実装される。
【００６８】
リセプタクルコネクタ３４は、任意の数の電気コンタクト５４を有してもよい。各電気コンタクト５４は、信号コンタクト、接地コンタクト、又は電力コンタクトである。任意であるが、信号コンタクトとして使用されるいくつか又は全ての電気コンタクト５４は、差動信号を伝送する対内で各信号コンタクトと対に配列され、このため１対以上の差動対を形成する。電気コンタクト５４の配列内では、信号コンタクトの互いに隣接する差動対間に、１個以上の接地コンタクトが設けられる。任意の他の配列に電気コンタクト５４を設けてもよい。
【００６９】
リセプタクルコネクタ３４のコネクタ本体４８はまた、ストラドルマウントコネクタ３２の対応する電気コンタクト６２（図３ないし図７参照）と嵌合する電気コンタクト５６（図１５及び図１６参照）を保持する。コネクタ本体４８は、内部に対応する電気コンタクト５６を受容する複数の任意溝（図示せず）を有する。溝６０６と同様に、これらの溝は、互いに対して所定位置（例えば、横並び位置）に電気コンタクト５６を保持することを容易にする。
【００７０】
任意であるが、リセプタクルコネクタ３４のいくつか又は全ての電気コンタクト５６は、リセプタクルコネクタ３４のいくつか又は全ての電気コンタクト５４より高速でデータ信号を伝送する。例えば、いくつかの実施形態において、電気コンタクト５６のうちの信号コンタクト５６ａ（図１５及び図１６参照）は少なくとも10Gbpsのデータ速度でデータ信号を伝送するのに対し、電気コンタクト５４は10Gbps未満の速度でデータ信号を伝送する。また、例えば、いくつかの実施形態において、信号コンタクト５６ａは少なくとも28Gbpsのデータ伝送速度でデータ信号を伝送するのに対し、電気コンタクト５４は28Gbpsの速度でデータ信号を伝送する。また、例えば、いくつかの実施形態において、信号コンタクト５６ａは約20〜30Gbpsのデータ伝送速度でデータ信号を伝送するのに対し、電気コンタクト５４は20Gbps未満の速度でデータ信号を伝送する。別の実施形態において、リセプタクルコネクタ３４のいくつか又は全ての電気コンタクト５６は、リセプタクルコネクタ３４のいくつか又は全ての電気コンタクトと同じかより遅い速度でデータ信号を伝送する。いくつかの信号コンタクト５６ａのデータ速度と比較する目的のために、電力又は接地を伝送する電気コンタクト５４は、約０Gbpsの速度で信号を伝送することが考慮される。信号コンタクト５６ａは、本明細書では「信号嵌合コンタクト」と称されることがある。
【００７１】
図１５は、１列６１８の電気コンタクト５６を示す、リセプタクルコネクタ３４の一部の斜視図である。リセプタクルコネクタ３４のコネクタ本体４８（図２及び図１４参照）及び電気コンタクト５４（図２及び図１４参照）は、明確化のために除去されている。電気コンタクト５６は、信号コンタクト５６ａ及び接地コンタクト５６ｂを有する。信号コンタクト５６ａは電気データ信号を伝送するよう構成されるのに対し、接地コンタクト５６ｂは接地に電気接続するよう構成される。任意であるが、電気コンタクト５６の列６１８は、電力を伝送するよう構成された１個以上の電力コンタクトを有する。接地コンタクト５６ｂは、本明細書では「接地嵌合コンタクト」と称されることがある。
【００７２】
典型的な一実施形態において、信号コンタクト５６ａは差動対５６Ａで配列される。或いは、いくつか又は全ての信号コンタクト５６ａは差動対で配列されていない。信号コンタクト５６ａは、嵌合部６２０ａ及び実装部６２１ａを有する。実装部６２１ａは実装足６２２ａを有する。図１４及び図１５の比較から明白であるように、信号コンタクト５６ａの嵌合部６２０ａは、リセプタクルコネクタ３４のリセプタクル５０（図２及び図１４参照）内に延びる。信号コンタクト５６ａの嵌合部６２０ａは、リセプタクル５０内に露出すると共にストラドルマウントコネクタ３２（図２ないし図６参照）の対応する１個の信号コンタクト６２ａ（図３ないし図５及び図７参照）と係合する嵌合インタフェース６２４ａを有する。
【００７３】
接地コンタクト５６ｂはまた、嵌合部６２０ｂと、実装足６２２ｂを含む実装部６２１ｂとを有する。接地コンタクト５６ｂの嵌合部６２０ｂは、リセプタクル５０内に延びると共に嵌合インタフェース６２４ｂを有する。嵌合インタフェース６２４ｂは、リセプタクル５０内で露出すると共に、ストラドルマウントコネクタ３２の対応する１個の接地コンタクト６２ｂ（図３ないし図７参照）と係合する。リセプタクルコネクタ３４は、任意の数の信号コンタクト５６ａ、任意の数の接地コンタクト５６ｂ、及び任意の数の差動対５６Ａを含む任意の数の電気コンタクト５６を有してもよい。図２に見られるように、信号コンタクト５６ａ及び接地コンタクト５６ｂの実装足６２２は、リセプタクルコネクタ３４のコネクタ本体４８の後端６０２に沿ってそれぞれ延びる。
【００７４】
典型的な一実施形態において、電気コンタクト５６の実装足６２２は、ホスト回路基板１６に表面実装されるようそれぞれ構成される。特に、実装足６２２は、電気接続や光接続された状態でホスト回路基板１６上の対応する接続部（図示せず）上に実装される。別の実施形態において、１個以上の電気コンタクト５６は、ホスト回路基板１６のバイア（図示せず）内に受容される（実装足６２２の代わりの）コンプライアントピン（但し、これに限定されない）等の、表面実装とは別のタイプの実装を用いてホスト回路基板１６に実装される。
【００７５】
信号コンタクト５６ａ及び接地コンタクト５６ｂの嵌合部６２０ａ，６２０ｂはそれぞれ、列の軸６２６に沿って所定長さだけ延びる列６１８内で横並びに配列される。図１４及び図１５の比較から明白であるように、電気コンタクト５６の嵌合部６２０ａ，６２０ｂの列６１８は、電気コンタクト５４（図１４参照）の嵌合部６０８（図１４参照）の列６１２（図１４参照）に対向する。電気コンタクト５６の嵌合インタフェース６２４は、リセプタクル５０内で電気コンタクト５４の嵌合インタフェース６１４（図１４参照）と対向する。実装部６２１ａ，６２１ｂは、コネクタ本体４８の後端６０２に沿って延びる列６２３に配列される。
【００７６】
図１５に見られるように、嵌合部６２０の列６１８内には、信号コンタクト５６ａの隣接する差動対５６Ａ間に単一の接地コンタクト５６ｂが設けられる。接地コンタクト５６ｂの嵌合部６２０ｂは、２個の隣接する差動対５６Ａの信号コンタクト５６ａの嵌合部６２０ａ間の列６１８内に延びる。或いは、列６１８内の隣接する差動対５６Ａ間には２個以上の接地コンタクト５６ｂが延びている。
【００７７】
各電気コンタクト５６の嵌合部６２０は、対向する基板側面６２８と、基板側面６２８間を延びる対向する縁側面６３０とを有する。より具体的には、信号コンタクト５６ａの嵌合部６２０ａは基板側面６２８ａ及び縁側面６３０ｂを有するのに対し、接地コンタクト５６ｂの嵌合部６２０ｂは基板側面６２８ｂ及び縁側面６３０ｂを有する。図１５に見られるように、基板側面６２８ａは、縁側面６３０ａより大きな表面積を有する。同様に、基板側面６２８ｂは、縁側面６３０ｂより大きな表面積を有する。接地コンタクト５６ｂの基板側面６２８ｂは、信号コンタクト５６ａの縁側面６３０ａより大きな表面積を有する。差動対５６Ａ内には、差動対５６Ａ内の１個の信号コンタクト５６ａの縁側面６３０ａは、差動対５６Ａ内の他の信号コンタクト５６ａの縁側面６３０ａと任意に対面する。例えば、差動対５６Ａ内の信号コンタクト５６ａの縁側面６３０ａは、任意に互いにほぼ平行に延びる。差動対５６Ａ内の信号コンタクト５６ａの嵌合部６２０ａは、信号コンタクトの少なくともいくつかの公知の差動対の嵌合部より接近して位置する。
【００７８】
各接地コンタクト５６ｂについては、嵌合部６２０ｂの基板側面６２８ｂは、隣接する信号コンタクト５６ａの嵌合部６２０ａの対応する縁側面６３０ａと対面する。例えば、接地コンタクト５６ｂａの嵌合部６２０ｂの１個の基板側面６２８ｂａは隣接する信号コンタクト５６ａａの嵌合部６２０ａの縁側面６３０ａａと対面するのに対し、接地コンタクト５６ｂａの嵌合部６２０ｂの別の基板側面６２８ｂａは別の隣接する信号コンタクト５６ａｂの嵌合部６２０ａの縁側面６３０ａｂと対面する。任意であるが、接地コンタクト５６ｂの縁側面６３０ｂは、信号コンタクト５６ａの基板側面６２８ａと共平面に延びる。
【００７９】
接地コンタクト５６ｂの嵌合面６２０ｂは、少なくともいくつかの公知の接地コンタクトより大きなシールド量を提供する。また、接地コンタクト５６ｂの嵌合部６２０ｂは、少なくともいくつかの公知の接地コンタクトと比較して同じシールド量を提供しながら、隣接する信号コンタクト５６ａ（例えば、信号コンタクト５６ａの隣接する差動対５６Ａ）をより近接させることができる。
【００８０】
典型的な一実施形態において、接地コンタクト５６ｂの嵌合部６２０ｂの基板側面６２８ｂは、隣接する信号コンタクト５６ａの嵌合部６２０ａの基板側面６２８ａとほぼ直交して延びる。例えば、接地コンタクト５６ｂの基板側面６２８ｂは、信号コンタクト５６ａの基板側面６２８ａが位置する平面（図示せず）にほぼ直交する方向を向く平面（図示せず）内に位置する。しかし、接地コンタクト５６ｂの嵌合部６２０ｂの基板側面６２８ｂは、隣接する信号コンタクト５６ａの嵌合部６２０ａの基板側面６２８ａに対して非平行な角度で延びてもよい。
【００８１】
図１６は、リセプタクルコネクタ３４の一部の部分分解斜視図である。リセプタクルコネクタ３４の電気コンタクト５４（図２及び図１４参照）は、明瞭にするために図１６には図示していない。電気コンタクト５４に加えて、リセプタクルコネクタ３４は、コネクタ本体４８、電気コンタクト５６及び接地シールド６５０を有する。任意であるが、リセプタクルコネクタ３４の信号コンタクト５６ａは、コネクタ本体４８により保持された１個以上の誘電性インサート６５２，６５４により保持される。インサート６５２，６５４は、信号コンタクト５６ａがそれぞれ貫通するコンタクトキャビティ６５６，６５８を有する。図１６に見られるように、接地コンタクト５６ｂの実装部６２１ｂは、嵌合部６２０ｂに対して傾斜する。典型的な一実施形態において、実装部６２１ｂは、嵌合部６２０ｂにほぼ直交しているが、嵌合部６２０ｂに対して非平行な所定角度で延びてもよい。
【００８２】
接地シールド６５０は、リセプタクルプレート６６０と、リセプタクルプレート６６０から延びる本体プレート６６２とを有する。典型的な一実施形態において、本体プレート６６２は、接地シールド６５０がＬ形状となるように、リセプタクルプレート６６０にほぼ直交して延びる。しかし、本体プレート６６２は、リセプタクルプレート６６０に対して任意の角度で延びてもよい。
【００８３】
接地シールド６５０は、少なくとも本体プレート６６２を貫通する複数のスロット６６４を有する。スロット６６４は、接地コンタクト５６ｂの実装部６２１ｂのタブ６６６を受容するよう構成される。スロット６６４内にタブ６６６を受容することは、（例えば、接地シールド６５０、コネクタ本体４８や信号コンタクト５６ａに対する）接地コンタクト５６ｂの整列や、接地シールド６５０に対する接地コンタクト５６ｂの電気接続（例えば、スロット６６４を区画する接地シールド６５０の壁とのバイア係合）を容易にする。図１５及び図１６から明白であるように、電気コンタクト５６が図１５に示されるように接地シールド６５０と組み合わせられると、接地コンタクト５６ｂの嵌合部６２０ｂの長さの副区分６６８は、リセプタクルプレート６６０の部分と任意に係合する。また、嵌合部６２０ｂの長さの他の副区分６７０は、リセプタクルプレート６６０の他の部分から離間する。副区分６６８及びリセプタクルプレート６６０の係合は、接地コンタクト５６ｂ及び接地シールド６５０が電気的に共通になるように、接地コンタクト５６ｂを接地シールド６５０に電気接続する。
【００８４】
図１４を再度参照すると、接地シールド６５０は破線で図示される。接地シールド６５０はリセプタクル５０内に延びる。より具体的には、接地シールド６５０のリセプタクルプレート６６０は、電気コンタクト５６（図２、図１５及び図１６参照）の嵌合部６２０の列６１８（図１５参照）と、電気コンタクト５４の嵌合部６０８の列６１２との間のリセプタクル５０内に延びる。図１４に見られるように、リセプタクル５０は、一端６７２から反対側の端６７４まで長さＬ11だけ延びる。図１４及び図１５の比較から明白であるように、電気コンタクト５６の列６１８の長さは、リセプタクル５０の長さＬ11に沿って延びる。
【００８５】
接地シールド６５０はまた、リセプタクルコネクタ３４のコネクタ本体４８内に延びる。接地シールド６５０は、電気コンタクト５４，５６に対して内部のコネクタ本体４８内に位置する。接地シールド６５０の本体プレート６６２は、電気コンタクト５６の実装部６２１（図１５及び図１６参照）の列６２３（図１５参照）と電気コンタクト５４の実装部６０９の列６１１の間のコネクタ本体４８内を延びる。
【００８６】
図１５を再度参照すると、リセプタクルプレート６６０は、電気コンタクト５６の嵌合部６２０の列６１８の長さとほぼ平行な平面に沿って延びる。接地シールド６５０のリセプタクルプレート６６０は、嵌合部６２０の列６１８の長さに沿って電気コンタクト５６の嵌合部６２０と重なる。図１４及び図１５の比較から明白であるように、接地シールド６５０のリセプタクルプレート６６０は、リセプタクル５０内の嵌合部６２０と重なる。任意であるが、接地シールド６５０のリセプタクルプレート６６０は、嵌合部６２０の列６１８の全長に沿って電気コンタクト５６の嵌合部６２０と重なる。さらに、接地シールド６５０のリセプタクルプレート６６０は、リセプタクル５０の全長に沿って嵌合部６２０と任意に重なる。
【００８７】
本体プレート６６２は、電気コンタクト５６の実装部６２１の列６２３の長さとほぼ平行は平面に沿って延びる。接地シールド６５０の本体プレート６６２は、実装部６２１の列６２３の長さに沿って電気コンタクト５６の実装部６２１と重なる。任意であるが、本体プレート６６２は、列６２３の全長に沿って電気コンタクト５６の実装部６２１と重なる。
【００８８】
本明細書に記載され図示された実施形態は、リセプタクルコネクタ、プラグ脱着可能なモジュール、ストラドルマウントコネクタ、ホスト回路基板やトランシーバ組立体全体の（差動インピーダンス及びコモンモードインピーダンスの双方を制御することを含む）インピーダンスを制御（例えば、整合）することを容易にする。本明細書に記載され図示された実施形態は、リセプタクルコネクタ、プラグ脱着可能なモジュール、ストラドルマウントコネクタ、ホスト回路基板やトランシーバ組立体全体が経験するクロストーク量や信号減衰量等を低減することを容易にする。
【符号の説明】
【００８９】
１２      プラグ脱着可能なモジュール
２６      回路基板
２８      一縁
３２      ストラドルマウントコネクタ
３４      リセプタクルコネクタ
５０      リセプタクル
５２      プラグ
５８      電気コンタクト
５８ａ    信号コンタクト
６０      一面（第１面）
６２      電気コンタクト
６２ａ    信号コンタクト
６２ｂ    接地コンタクト
６４      他面（第２面）
８０      誘電性コネクタ本体
８２      基部
９４      プレートキャビティ
９６      接地プレート
９８      嵌合部
１０１    下層
１０２    列
１０３    上層
１０５    中間層
１０６    嵌合部
１１０    列
１１４ａ  コンタクト基部
１１６ａ  コンタクト基部
２３２    ストラドルマウントコネクタ
２５２    プラグ
２５８    電気コンタクト
２５８ａ  信号コンタクト
２５８ｂ  接地コンタクト
２６０    第１面
２６２    電気コンタクト
２６２ａ  信号コンタクト
２６２ｂ  接地コンタクト
２６４    第２面
２８０    誘電性コネクタ本体
２８２    基部
２９６    接地プレート
２９８    嵌合部
３０２    列
３０６    嵌合部
３１０    列
３５０    共通部
３５４    面（第１面）
３５６    面（第２面）
３５８    縁
４３２    ストラドルマウントコネクタ
４５２    プラグ
４６０    第１面
４６２    電気コンタクト
４６２ａ  信号コンタクト
４６２ｂ  接地コンタクト
４６４    第２面
４８０    誘電性コネクタ本体
４８２    基部
５０６    嵌合部
５１０    列
【図１】
0006053378.tif 000002
【図２】
0006053378.tif 000003
【図３】
0006053378.tif 000004
【図４】
0006053378.tif 000005
【図５】
0006053378.tif 000006
【図６】
0006053378.tif 000007
【図７】
0006053378.tif 000008
【図８】
0006053378.tif 000009
【図９】
0006053378.tif 000010
【図１０】
0006053378.tif 000011
【図１１】
0006053378.tif 000012
【図１２】
0006053378.tif 000013
【図１３】
0006053378.tif 000014
【図１４】
0006053378.tif 000015
【図１５】
0006053378.tif 000016
【図１６】
0006053378.tif 000017